(57)【要約】      （修正有）【課題】取り出し易く、複数種の小物を分別してコンパクトに収容することができる小物収容具を提供する。【解決手段】スタンド３に容器２を回動自在に支持してなる小物収容具１であって、内部を傾斜状に配された仕切板２４によって上下２つに仕切って、２の収容室５ａ，５ｂを設け、夫々の収容室の取出口６ａ，６ｂの周縁に磁石７を設けた。容器を回動して取出口を下に向けることで、容器内部の小物を取出口の周縁に吸着させ、取り出し易い状態にすることができる。【選択図】図２
2010162853.tif 000002
【特許請求の範囲】
【請求項１】
複数の収容室（５ａ，５ｂ）を有する容器（２）を回動自在に支持してなる小物収容具（１）であって、小物が収容される前記収容室（５ａ，５ｂ）の取出口（６ａ，６ｂ）の周縁に、前記小物を吸着させるための吸着部材（７）を設けたことを特徴とする小物収容具。
【請求項２】
前記容器（２）の内部は、傾斜状に配された仕切板（２４）によって上下２つの収容室に仕切られており、夫々の収容室（５ａ，５ｂ）の取出口（６ａ，６ｂ）が、容器（２）の上壁部と下壁部に夫々設けられていることを特徴とする請求項１に記載の小物収容具。
【請求項３】
前記容器（２）の内壁は、前記上壁部の取出口（６ａ）に連続する開口を有する上方容器部材（２１ａ）と、前記下壁部の取出口（６ｂ）に連続する開口を有する下方容器部材（２１ｂ）と、前記仕切板（２４）を有する仕切部材（２５）と、からなることを特徴とする請求項２に記載の小物収容具。
【請求項４】
前記上方容器部材（２１ａ）と、前記下方容器部材（２１ｂ）と、前記仕切部材（２５）とは１つの平面部材によって構成されており、ヒンジ部（２７）を介して折り曲げて形成されたことを特徴とする請求項３に記載の小物収容具。
【請求項５】
前記吸着部材（７）は磁石であることを特徴とする請求項１〜請求項４の何れか1つの請求項に記載の小物収容具。
【発明の詳細な説明】
【技術分野】
【０００１】
本発明は、クリップ等の小物を収容するための小物収容具に関し、特に、取り出し易く、複数種の小物を分別して収容することができる小物収容具に関する。
【背景技術】
【０００２】
クリップ等の事務用小物を収容するための容器としては、特許文献１に示すように、取出口の傾斜側壁を底部近傍まで延設し、その傾斜側壁にクリップを吸着させるための磁石を設けたものが提案されている。この容器は、底部に回転自在のスタンドを設け、容器を傾斜させて支持することで、クリップが自重により連続的に取出口に至るようにすると共に、使用者が指と平行する傾斜側壁に沿って滑らせることによって、クリップが取り出し易くなるように構成されている。
【先行技術文献】
【特許文献】
【０００３】
【特許文献１】実公平４−３４０７９号公報
【発明の概要】
【発明が解決しようとする課題】
【０００４】
しかしながら、上記の小物収容具においては、傾斜側壁に吸着されたクリップが取出口から机上に溢れ出した状態で吸着されてしまうことがある上、多種の小物を分別してコンパクトに収容することができない。
そこで、本発明は、取り出し易く、複数種の小物を分別してコンパクトに収容することができる小物収容具の提供を目的とする。
【課題を解決するための手段】
【０００５】
本発明は、複数の収容室を有する容器を回動自在に支持してなる小物収容具であって、小物が収容される前記収容室の取出口の周縁に、前記小物を吸着させるための吸着部材を設けたことを特徴とするものである。
この場合、前記容器の内部は、傾斜状に配された仕切板によって上下２つの収容室に仕切られており、夫々の収容室の取出口が、容器の上壁部と下壁部に夫々設けられているものであってもよい。
【０００６】
この場合において、前記容器の内壁は、前記上壁部の取出口に連続する開口を有する上方容器部材と、前記下壁部の取出口に連続する開口を有する下方容器部材と、前記仕切板を有する仕切部材と、からなるものであってもよい。
この場合において、前記上方容器部材と、前記下方容器部材と、前記仕切部材とは１つの平面部材によって構成されており、ヒンジ部を介して折り曲げて形成されたものであってもよい。
さらに、前記吸着部材は磁石であってもよい。
【発明の効果】
【０００７】
請求項１に係る小物収容具は、夫々の取出口の周縁において小物を吸着させて保持することが可能な収容室を有する容器を回動可能としたので、容器を回動して取出口を下に向けることで、容器の底の取り出しにくい小物を、即座に取出口の周縁に吸着させ、取り出し易い状態にすることができる。
また、複数の収容室を有しているので、小物を分別して収容することができる上、容器を回動した際、分別された小物が夫々の取出口の周縁部に吸着された状態となるので、所望の小物を選択しながら、円滑に取り出すことができる。
【０００８】
請求項２に係る小物収容具は、容器の内部は、傾斜状に配された仕切板によって上下２つの収容室に仕切られており、夫々の収容室の取出口が、容器の上壁部と下壁部とに夫々設けられているので、夫々の収容室の底面を傾斜状にすることができる。これによって、上方の収容室の小物が、底に落ち込んでいて取り出し難い場合は、容器を回転させることで、傾斜状の底面を小物が滑り落ち、取出口周縁の吸着部材へと円滑に至るようになる。
これによって、小物を多量に収容した場合であっても、容器を上下反転させた際に、小物が零れ落ちるのを防止できる。
【０００９】
請求項３に係る小物収容具は、容器の上壁部の取出口に連続する開口を有する上方容器部材と、下壁部の取出口に連続する開口を有する下方容器部材と、傾斜状の仕切板を有する仕切部材とによって、容器の内壁を構成したので、傾斜状の底面を有する上下２つの収容室を、容易に形成することができる。
請求項４に係る発明は、上方容器部材と、下方容器部材と、仕切部材とを単一の平面部材で製造することができるようにしたので、部品点数を少なくすることができ、製造工程数、及び製造コストの低減化を図ることができる。
【図面の簡単な説明】
【００１０】
【図１】本実施形態に係る小物収容具を示す正面図である。
【図２】上記小物収容具の断面図である。
【図３】上記小物収容具の右側面図である。
【図４】上記小物収容具の左側面図である。
【図５】上記小物収容具の平面図である。
【図６】上記小物収容具の容器を示す平面図である。
【図７】上記容器の断面図である。
【図８】内側容器部材を示す斜視図である。
【図９】上記内側容器部材を示し、（ａ）は平面図であり、（ｂ）は正面図である。
【図１０】本実施形態に係る小物収容具の第１変形例を示す分解図である。
【図１１】本実施形態に係る小物収容具の第２変形例を示す断面図である。
【発明を実施するための形態】
【００１１】
本発明の好適な実施形態を、添付図面に基づいて説明する。なお、実施形態は以下の形態に限定されるものではなく、本発明の課題を解決し得るものであれば、他の態様も可能である。
【００１２】
図１は、本発明の第１実施形態に係る小物収容箱を示す正面図であり、図２はその断面図である。図３、図４及び図５は、右側面図、左側面図及び平面図である。
この小物収容具１は、ゼムクリップ等の事務用小物を分別して収容するためのもので、容器２をスタンド３に回動可能に支持させたものである。
【００１３】
容器２の内部には、複数の収容室５ａ、５ｂが設けられており、夫々の収容室５ａ，５ｂの取出口６ａ，６ｂの周縁の内側には、事務用小物を吸着させるための磁石７が設けられている（図２参照）。そして、スタンド３の台座部８の両端に立設された支持部９において、回転可能に支承されている。
以下、容器２の構成を図６及び図７を参照して詳述する。なお、図６は、容器の平面図であり、図７は、図６のＡ−Ａ矢視断面図である。
【００１４】
容器２は、外側容器１０と内側容器２０とによって構成されている。
外側容器１０は、立方体形状であって、上壁部と下壁部に取出口６ａ，６ｂを設け、上方の１つ角部と、その対角線上の角部に、スタンド３の支持部９に枢支させるための枢支部１１を突設した構造である。
この外側容器１０は、上方の開口部６ａを含む上面と、それに隣接する２つの側面と、それらの面の接点に位置する枢支部１１とからなる第１の外側容器部材１０ａと、下方の開口部６ｂを含む下面と、それに隣接する２つの側面と、それらの面の接点に位置する枢支部１１とからなる第２の外側容器部材１０ｂと、接合部１２において組み付けることによって形成されている。
【００１５】
これらの外側容器部材１０ａ，１０ｂは、硬質な合成樹脂製の材料からなる同一形状の部材として構成されており、このように、同一形状の半割状の部材を組み合わせて外側容器１０を形成することで、製造を容易にすると共に、部品の種類を少なくしている。
内側容器２０は、図８に示すように、上方の取出口６ａに連続する開口部を有する上方容器部材２１ａと、下方の取出口６ｂに連続する開口部を有する下方容器部材２１ｂと、傾斜状の仕切板２４を有する仕切部材２５とによって構成されている。
【００１６】
上方及び下方容器部材２１ａ，２１ｂの開口部の内側には、リング状の磁石７を取り付けるための取付部２２が設けられている。
なお、図９（ａ）は、内側容器部材２０を示す平面図であり、図９（ｂ）は正面図であるが、底面図は図９（ａ）と対称であり、左右側面図及び背面図は、図９（ｂ）と同一又は対称になっている。
【００１７】
即ち、上方容器部材２１ａ、下方容器部材２１ｂ及び仕切部材２５は、ポリプロピレンなどの軟質な合成樹脂製の材料を射出成形することにより一体成形されたものであり、肉薄のヒンジ部２７を介して折り曲げることによって、傾斜状に配された仕切部板７によって上下２つの収容室５ａ，５ｂに仕切られた構造の内側容器部材２０を製造することができるようにしている。
このように構成された内側容器部材２０に、第１及び第２の外側容器部材１０ａ，１０ｂを組み付けることで、本実施形態に係る小物収容具１の容器２が形成される。なお、外側容器部材１０の内壁面に設けられた窪み部１３は、内側容器部材２０を組み付ける際に必要な逃げ部である。
【００１８】
このように、上方の取出口６ａに連続する開口を有する上方容器部材２１ａと、下方の取出口６ｂに連続する開口を有する下方容器部材２１ｂと、傾斜状の仕切板２４を有する仕切部材２５を、１つの平面部材によって構成することで、部品点数を少なくすることができ、製造工程、製造コストを低減できる。
以下、本実施形態に係る小物収容具１の使用方法を説明する。
【００１９】
ゼムクリップ等の磁性体を含んで構成される小物を、夫々の収容室５ａ，５ｂに収容した状態で使用する場合において、上方の収容室５ａ内の小物が底に落ち込んで、取り出し難くなっている場合は、容器２を僅かに回動させる。
すると、収容室５ａ内の小物が傾斜状の底面（即ち、仕切板２４）を滑り落ちて取出口６aへと至り、周縁の磁石７に吸着する。これによって、小物が取り出し易い状態となる。
【００２０】
上方の収容室５ａに収容されている小物が所望のものではなかった場合は、容器２を回転させて上下を反転させる。下方の収容室５ｂに保持されている小物は、全て取出口６ｂ周縁の磁石７に吸着された状態となっているので、スムーズに手に取ることができる。
本実施形態において、内側容器部材２０は、上方容器部材２１ａ’と、下方容器部材２１ｂ’と、仕切部材２５’を、別部材で構成してもよいし、容器部材の形状は直方体形状、紡錘形状、球状等であってもよい（図１０参照）。
【００２１】
また、仕切板２４は傾斜状でなくてもよいし、図１１のように、容器２’を単一の部材で構成してもよいし、収容室５’を３つ以上設けてもよい。
さらに、吸着部材は磁石に限るものではなく、容器２’の取出口６’に粘着材等を塗布したものであってもよい。
【産業上の利用可能性】
【００２２】
本発明は、あらゆる産業分野で使用される小物収容具に適用することができる。
【符号の説明】
【００２３】
１…小物収容具
２…容器
３…スタンド
５…収容室
６…取出口
７…磁石
８…台座部
９…支持部
１０…外側容器
１１…枢支部
１２…接合部
１３…窪み
２０…内側容器
２１ａ…上方容器部材
２１ｂ…下方容器部材
２２…磁石取付部
２４…仕切板
２５…仕切部材
２７…ヒンジ部
【図１】
2010162853.tif 000003
【図２】
2010162853.tif 000004
【図３】
2010162853.tif 000005
【図４】
2010162853.tif 000006
【図５】
2010162853.tif 000007
【図６】
2010162853.tif 000008
【図７】
2010162853.tif 000009
【図９】
2010162853.tif 000010
【図１０】
2010162853.tif 000011
【図１１】
2010162853.tif 000012
【図８】
2010162853.tif 000013